(57)【特許請求の範囲】
【請求項１】
複数の部屋が互いに複数の仕切りによって仕切られていて、それらの部屋の間に天井走行クレーンが設けられている屋内構造において、複数の仕切りが平面でみて十字形に交差して４つの部屋に仕切っており、部屋が温度コントロールされたクリーンルームであり、多数のシャッターが隣接する部屋の間の、天井走行クレーンの走行領域に設けられており、１つの仕切りに対してクレームの通過位置が複数存在しており、その１つの仕切りに４つ以上のシャッターと開き戸が設けられており、クレームの通過位置に対応するシャッターと開き戸のみを開閉可能にしたことを特徴とする屋内構造。
【請求項２】
複数の部屋が互いに複数の仕切りによって仕切られていて、それらの部屋の間に天井走行クレーンが設けられている屋内構造において、複数の仕切りが平面でみて十字形に交差して４つの部屋に仕切っており、部屋が温度コントロールされたクリーンルームであり、多数のシャッターが隣接する部屋の間の、天井走行クレーンの走行領域に設けられており、シャッターのガイドの一端が回転可能に支持され、ガイドが回転移動する構成にし、１つの仕切りに対してクレームの通過位置が複数存在しており、その１つの仕切りに４つ以上のシャッターと開き戸が設けられており、クレームの通過位置に対応するシャッターと開き戸のみを開閉可能にしたことを特徴とする屋内構造。
【請求項３】
複数の部屋が互いに複数の仕切りによって仕切られていて、それらの部屋の間に天井走行クレーンが設けられている屋内構造において、複数の仕切りが平面でみて十字形に交差して４つの部屋に仕切っており、部屋が温度コントロールされたクリーンルームであり、多数のシャッターが隣接する部屋の間の、天井走行クレーンの走行領域に設けられており、シャッターのガイドの一端が回転可能に支持され、ガイドの他端にワイヤーロープが取り付けられ、ワイヤーロープを巻き上げホイストで巻くことによりガイドを回転移動させる構成にし、１つの仕切りに対してクレームの通過位置が複数存在しており、その１つの仕切りに４つ以上のシャッターと開き戸が設けられており、クレームの通過位置に対応するシャッターと開き戸のみを開閉可能にしたことを特徴とする屋内構造。
【発明の詳細な説明】
【０００１】
【発明の属する技術分野】
本発明は、天井走行クレーンが通過する屋内構造に関する。
【０００２】
【従来の技術】
複数に仕切られた複数の部屋の間を行き来する天井走行クレーンが使用される屋内構造において、従来は、クレーン走行部の仕切りにシャッターは使用されていなかった。その理由は、クレーンが仕切りを通過する際は、シャッターのガイドがクレーンの走行を妨げることとなるからであった。
【０００３】
【発明が解決しようとする課題】
本発明は、複数に仕切られた部屋と部屋とを行き来する天井走行クレーンが使用され、かつ、クレーン走行領域の仕切りができる屋内構造を提供することを目的とする。
【０００４】
【課題を解決するための手段】
本発明の１つの解決手段は、複数の部屋が互いに複数の仕切りによって仕切られていて、それらの部屋の間に天井走行クレーンが設けられている屋内構造において、部屋が温度コントロールされたクリーンルームであり、複数の仕切りが平面でみて十字形に交差して４つの部屋に仕切っており、多数のシャッターが隣接する部屋の間の、天井走行クレーンの走行領域に設けられており、１つの仕切りに対してクレームの通過位置が複数存在しており、その１つの仕切りに４つ以上のシャッターと開き戸が設けられており、クレームの通過位置に対応するシャッターと開き戸のみを開閉可能にしたことを特徴とする屋内構造である。
【０００５】
【発明の実施の形態】
本発明は、天井走行クレーンが通過する屋内構造に関する。
【０００６】
本発明の典型例は、複数の部屋が互いに仕切られていて、それらの部屋の間に天井走行クレーンが設けられている屋内構造において、シャッターが隣接する部屋の間の、天井走行クレーンの走行領域に設けられていることを特徴とする屋内構造である。
【０００７】
好ましくは、シャッターのガイドの一端が回転可能に支持され、ガイドが回転移動できるようにする。
【０００８】
さらに、シャッターのガイドの一端が回転可能に支持され、ガイドの他端にワイヤーロープが取り付けられ、ワイヤーロープを巻き上げホイストで巻くことによりガイドを回転移動させることができるようにするのが好ましい。
【０００９】
本発明の屋内構造に使用されるシャッターは、１つの屋内構造の中で温度コントロールした部屋としていない部屋の仕切り、あるいは、クリーンルームとの仕切りに使用される。
【００１０】
【実施例】
図１は、本発明の天井走行クレーン用クレーンシャッターが使用される屋内構造（工場）の概略図である。
【００１１】
工場は、仕切り12、14、16、18によって4つの部屋20、22、24、26に仕切られ ている。仕切り12、14、16、18には、鎧戸式巻上げシャッターＳ1、Ｓ2、Ｓ3、 Ｓ4と開き戸28が設けられている。
【００１２】
なお、部屋20、22、24、26は、温度コントロールすることができる。部屋20、22、24、26は、温度コントロールされたクリーンルームにすることができる。
【００１３】
図２は、図１の工場の部分断面図であり、仕切りの一部を示している。
【００１４】
仕切り12には、鎧戸式巻上げシャッターＳ1、Ｓ2、Ｓ3、Ｓ4と、開き戸28を設けることができる。シャッターには、ガイドＧ1、Ｇ2、Ｇ3、Ｇ4、Ｇ5を備え付けることができる。ガイドＧ2、Ｇ3、Ｇ4には、ワイヤーロープＷ1、Ｗ2、Ｗ3を取りつけることができる。シャッターの上方には、巻上げホイストＨ1、Ｈ2、Ｈ3を配置することができる。
【００１５】
Ａの部分は、天井走行クレーンの横桁が通る範囲になっている。シャッターＳ1、Ｓ2、Ｓ3、Ｓ4のそれぞれの鎧戸30、32、34、36は、クレーンが通る際、巻き上げられることが可能になっている。鎧戸30、32、34、36を巻き上げてから、巻上げホイストＨ1、Ｈ2、Ｈ3でワイヤーロープＷ1、Ｗ2、Ｗ3を巻き上げることができる。これにより、シャッターのガイドＧ2、Ｇ3、Ｇ4を回転移動させ上方に引き上げることができる。開き戸28は開閉可能であり、クレーンが通過する際に開くことができる。そして、クレーンに吊られた物がＢの間を通るようにすることができる。
【００１６】
図３は、ガイドの回転移動の方法を示している。
【００１７】
巻上げホイストＨを回転させて、ワイヤーロープＷを巻き上げる。ワイヤーロープＷを巻き上げることにより、回転支持軸38を中心としてガイドＧを回転移動させる。これにより、ガイドＧを上方に引き上げることができる。
【００１８】
このようにして、図２の巻上げホイストＨ1、Ｈ2、Ｈ3を回転させることにより、それぞれワイヤーロープＷ1、Ｗ2、Ｗ3を巻いてガイドＧ2、Ｇ3、Ｇ4を回転移動させることができる。これにより、ガイドＧ2、Ｇ3、Ｇ4を上方に引き上げることができる。
【００１９】
図４は、天井クレーンが仕切りを通過する際の様子を示している。
【００２０】
天井クレーン40は、吊り部42で荷物44を吊ることができる。天井クレーン40は、横桁46に沿って移動することができる。天井クレーン40が仕切り12を通過する際には、開き戸28を開き、シャッターＳ1、Ｓ2、Ｓ3、Ｓ4の鎧戸を巻き上げる。巻上げホイストＨ1、Ｈ2、Ｈ3を回転させて、ワイヤーロープＷ1、Ｗ2、Ｗ3を巻き上げる。ワイヤーロープＷ1、Ｗ2、Ｗ3を巻き上げることにより、ガイドＧ2、Ｇ3、Ｇ4を回転移動させて上方に引き上げることができる。このため、クレーン40が仕切り12を通過できるようにクレーン40の進路をあけることができる。クレーン40の進路にシャッターも、シャッターのガイドもない状態にすることができるので、クレーン40は仕切りを通過することができる。
【００２１】
図５は、本発明の屋内構造で使用されるシャッターの変形例を示している。
【００２２】
仕切り112に、シャッターＳ11、Ｓ12、Ｓ13と開き戸28が設けられている。この変形例では、シャッターＳ11、Ｓ12、Ｓ13の上方にローラー48、50と巻上げホイストＨ11が設けられている。ガイドＧ12、Ｇ13には、ワイヤーロープＷ11、Ｗ12が取りつけられている。シャッターＳ11、Ｓ12、Ｓ13の鎧戸130、132、134を巻き上げてから、巻上げホイストＨ11を矢印の方向に巻くことにより、ローラー48、50を介してワイヤーロープＷ11、Ｗ12を巻くことができる。ワイヤーロープＷ11、Ｗ12を巻き上げることにより、ガイドＧ12、Ｇ13を回転移動させて上方に引き上げることができる。したがって、１つの巻上げホイストＨ11を回転させて複数のガイドＧ12、Ｇ13を回転移動させることができる。天井クレーン140が通過する際に、1つの巻上げホイストＨ11でガイドＧ12、Ｇ13を回転移動させて上方に引き上げ、クレーン140の進路を空けることができる。
【００２３】
図６は、本発明の屋内構造で使用されるシャッターの別の変形例を示している。
【００２４】
この変形例では、ガイドＧ2、Ｇ3、Ｇ4が部材52に回転支持されている。部材52にはワイヤーロープＷ21が取りつけられている。ワイヤーロープＷ21は、巻上げホイストＨ21によって巻き上げられることが可能である。ワイヤーロープＷ21を巻き上げると、部材52はワイヤーロープＷ21に引っ張られる。部材52がワイヤーロープＷ21に引っ張られると、部材52に回転支持されたガイドＧ2、Ｇ3、Ｇ4は回転移動して上方に引き上げられる。したがって、１つの巻上げホイストＨ21を回転させて複数のガイドＧ2、Ｇ3、Ｇ4を回転移動させることができる。天井クレーン240が通過する際に、１つの巻上げホイストＨ21でガイドＧ2、Ｇ3、Ｇ4を回転移動させて上方に移動させ、クレーン240の進路を空けることができる。
【００２５】
図７は、本発明の屋内構造で使用されるシャッターのさらに別の変形例を示している。
【００２６】
この変形例では、クレーン340の通過位置が複数存在している。
【００２７】
仕切り212に６つのシャッターＳ21、Ｓ22、Ｓ23、Ｓ24、Ｓ25、Ｓ26と５つの開き戸54、56、58、60、62が取り付けられている。シャッターのガイドＧ22、Ｇ23、Ｇ24、Ｇ25、Ｇ26には、それぞれワイヤーロープＷ31、Ｗ32、Ｗ33、Ｗ34、Ｗ35が取り付けられている。ワイヤーロープＷ31、Ｗ32、Ｗ33、Ｗ34、Ｗ35には、巻上げホイストＨ31、Ｈ32、Ｈ33、Ｈ34、Ｈ35がそれぞれ取りつけられている。このようにシャッターと開き戸を複数設けて、任意の場所のシャッターＳ21、Ｓ22、Ｓ23、Ｓ24、Ｓ25、Ｓ26の鎧戸64、66、68、70、72、74を開け、ガイドＧ22、Ｇ23、Ｇ24、Ｇ25、Ｇ26を回転移動させて上方に引き上げることができる。
【００２８】
たとえば、図７のような位置をクレーン340が通過する際は、まず、鎧戸66、68を巻き上げる。ガイドＧ23を回転移動させて上方に引き上げ、開き戸56を開く。荷物を吊るしたクレーン340がその位置を通過したら、開き戸56を閉める。ガイドＧ23を回転移動させてもとの位置に戻す。鎧戸66、68を下ろして元に戻す。
【００２９】
このようにすると、必要な位置にある鎧戸のみを巻き上げることができる。必要な位置にあるガイドのみを回転移動させ、開き戸を開けることができる。したがって、作業効率がよい。大きさが小さいクレーンや、部屋の厳密な温度コントロールが求められる場合、高いレベルのクリーンルームを必要とする場合に有益であり、熱や空気等の出入りを最小限に抑えることができる。
【００３０】
本発明は、以上の実施例に限定されない。
【００３１】
シャッターのガイドを回転移動させる方法として、巻上げホイストでワイヤーロープを巻き上げるという方式を取ったが、その他の方式でガイドを回転移動させてもよい。たとえばガイドの回転支持軸にモーター等を取り付けて、回転軸を直接回転させてもよい。
【００３２】
【発明の効果】
本発明の屋内構造によれば、複数の部屋が互いに仕切られていて、それらの部屋の間に天井走行クレーンが設けられている屋内構造において、複数の仕切りが平面でみて十字形に交差して４つの部屋に仕切っており、多数の隣接する部屋の間の天井走行クレーンの走行領域に、鎧戸式巻上げシャッターを設けることができる。クレーン横桁走行部の仕切りに鎧戸式巻上げシャッターを使用することができる。
【００３３】
本発明の屋内構造においては、仕切りに設けられたシャッターのガイドを回転移動することができるので、ガイドが位置していた所をクレーンが移動することができる。もちろん、仕切りの所で荷物をおろす必要はなく、荷物を吊るしたまま仕切られた各部屋間を移動できる。したがって、作業能率がよい。
【図面の簡単な説明】
【図１】本発明の天井走行クレーン用シャッターが使用される工場の概略図。
【図２】図１の工場内の仕切りの一部を示す図。
【図３】シャッターのガイドの回転移動の方法を示す図。
【図４】天井クレーンが仕切りを通過する際の様子を示す図。
【図５】本発明の屋内構造で使用されるシャッターの変形例を示す図。
【図６】本発明の屋内構造で使用されるシャッターの別の変形例を示す図。
【図７】本発明の屋内構造で使用されるシャッターのさらに別の変形例を示す図。
【符号の説明】
12、14、16、18、112、212  仕切り
20、22、24、26  部屋
Ｓ1、Ｓ2、Ｓ3、Ｓ4、Ｓ11、Ｓ12、Ｓ13、Ｓ21、Ｓ22、Ｓ23、Ｓ24、Ｓ25、Ｓ26  鎧戸式巻上げシャッター
28、54、56、58、60、62  開き戸
Ｇ1、Ｇ2、Ｇ3、Ｇ4、Ｇ5、Ｇ、Ｇ12、Ｇ13、Ｇ22、Ｇ23、Ｇ24、Ｇ25、Ｇ26  ガイド
Ｗ1、Ｗ2、Ｗ3、Ｗ、Ｗ11、Ｗ12、Ｗ21、Ｗ31、Ｗ32、Ｗ33、Ｗ34、Ｗ35  ワイヤーロープ
Ｈ1、Ｈ2、Ｈ3、Ｈ、Ｈ11、Ｈ21、Ｈ31、Ｈ32、Ｈ33、Ｈ34、Ｈ35    巻上げホイスト
30、32、34、36、64、66、68、70、72、74、130、132、134  鎧戸
38  回転支持軸
40、140、240、340  天井クレーン
42  吊り部
44  荷物
46  横桁
48、50  ローラー
52  部材
【図１】
0003582639.tif 000002
【図２】
0003582639.tif 000003
【図３】
0003582639.tif 000004
【図４】
0003582639.tif 000005
【図５】
0003582639.tif 000006
【図６】
0003582639.tif 000007
【図７】
0003582639.tif 000008